(57)【要約】      （修正有）【課題】チェーンの取付構造に関し、作業効率の向上及び作業の安全性の向上を目的とする。【解決手段】栓体１及び固定部材５はチェーン４が取り付けられる取付部３を有している。取付部３は円筒状の筒状部３１を有するとともに、上端より下方に向けて、チェーン４の係合部４２が挿通可能な程度の幅を有する溝部３２が形成されている。又、筒状部３１は溝部３２内において、弾性爪３３が形成されている。チェーン４を取り付ける際には、チェーン４の係合部４２を溝部３２に挿入し、係合部４２と弾性爪３３を係合させる。【選択図】図１
2020065618.tif 000002
【特許請求の範囲】
【請求項１】
排水口を閉塞する栓体と固定部材とを繋ぐチェーンの取付構造であって、
チェーン端部に形成された係合部と、
栓体又は固定部材に形成された取付部を備え、
前記取付部は前記係合部と係合する弾性爪を有することを特徴とするチェーンの取付構造。
【請求項２】
前記取付部は、
係合部が挿通可能な溝部を有し、
当該溝部内に前記弾性爪が形成されていることを特徴とする請求項１に記載のチェーンの取付構造。
【請求項３】
前記取付部は、
弾性爪と係合部との係合を解除するための操作口が形成されていることを特徴とする請求項１又は請求項２に記載のチェーンの取付構造。
【請求項４】
前記取付部は、
栓体又は固定部材からチェーンを離間する方向に力を加えた際に、係合部の抜脱を防ぐ抜け止め構造を有することを特徴とする請求項１乃至請求項３のいずれか１つに記載のチェーンの取付構造。
【請求項５】
前記抜け止め構造は、
栓体又は固定部材からチェーンを離間する方向に力を加えた際に、係合部を弾性爪の根元側に案内するガイド部であることを特徴とする請求項１又は請求項４のいずれか１つに記載のチェーンの取付構造。
【請求項６】
前記取付部は、
排水口を閉塞する栓体に備えられるとともに、当該栓体は排水口に載置されるゴム栓であることを特徴とする請求項１乃至請求項５のいずれか１つに記載のチェーンの取付構造。
【請求項７】
前記取付部は、
固定部材に備えられているとともに、当該固定部材は排水口近傍に配置されるヒートンであることを特徴とする請求項１乃至請求項５のいずれか１つに記載のチェーンの取付構造。
【発明の詳細な説明】
【技術分野】
【０００１】
本発明は、排水口を閉塞する栓体と固定部材とを繋ぐチェーンの取付構造に関するものである。
【背景技術】
【０００２】
洗面台や浴槽等の槽体は底部に排水口が形成されており、当該排水口は栓体が着脱されることによって、湯水の貯留や排出を行うことが可能となる。
栓体はゴム等の弾性部材から成る本体部と、ＰＰやＰＯＭ等の樹脂材から成る取付部を有している。尚、取付部は栓体の上方に向けて突出するとともに、側面に貫通孔が形成されている。
チェーンはステンレス材から成る玉鎖であり、端部にダブルリングを備えている。ダブルリングはステンレス材からなる二重のリング体であり、チェーンの一端又は両端に設けられている。
【０００３】
上記栓体とチェーンの取り付けを行う際には、ペンチや治具等を用いてダブルリングを拡開し、端部を取付部の貫通孔に挿通させるとともに、ダブルリングを回転させながら押し込むことで行う。
【０００４】
尚、上記チェーンの取付構造は栓体とチェーンの取り付けに限るものではなく、栓体を保持する固定部材との取り付けにも使用される。
【先行技術文献】
【特許文献】
【０００５】
【特許文献１】特開２００４−２０２０８９号公報
【発明の概要】
【発明が解決しようとする課題】
【０００６】
上記従来のチェーンの取付構造は、ダブルリングを貫通孔に挿通可能な程度に拡開させつつ作業を行うため煩雑であり、作業者の習熟度によって作業速度に差が生じていた。又、作業者が取り付け作業中にダブルリングによって負傷する恐れがあった。
【０００７】
本発明は上記問題に鑑み、チェーンの取付構造に関し、作業効率の向上及び作業の安全性の向上を目的とする。
【課題を解決するための手段】
【０００８】
請求項１に係る本発明は、排水口を閉塞する栓体と固定部材とを繋ぐチェーンの取付構造であって、
チェーン端部に形成された係合部と、
栓体又は固定部材に形成された取付部を備え、
前記取付部は前記係合部と係合する弾性爪を有することを特徴とするチェーンの取付構造である。
【０００９】
請求項２に係る本発明は、前記取付部は、
係合部が挿通可能な溝部を有し、
当該溝部内に前記弾性爪が形成されていることを特徴とする請求項１に記載のチェーンの取付構造である。
【００１０】
請求項３に係る本発明は、前記取付部は、
弾性爪と係合部との係合を解除するための操作口が形成されていることを特徴とする請求項１又は請求項２に記載のチェーンの取付構造である。
【００１１】
請求項４に係る本発明は、前記取付部は、
栓体又は固定部材からチェーンを離間する方向に力を加えた際に、係合部の抜脱を防ぐ抜け止め構造を有することを特徴とする請求項１乃至請求項３のいずれか１つに記載のチェーンの取付構造である。
【００１２】
請求項５に係る本発明は、前記抜け止め構造は、
栓体又は固定部材からチェーンを離間する方向に力を加えた際に、係合部を弾性爪の根元側に案内するガイド部であることを特徴とする請求項１又は請求項４のいずれか１つに記載のチェーンの取付構造である。
【００１３】
請求項６に係る本発明は、前記取付部は、
排水口を閉塞する栓体に備えられるとともに、当該栓体は排水口に載置されるゴム栓であることを特徴とする請求項１乃至請求項５のいずれか１つに記載のチェーンの取付構造である。
【００１４】
請求項７に係る本発明は、前記取付部は、
固定部材に備えられているとともに、当該固定部材は排水口近傍に配置されるヒートンであることを特徴とする請求項１乃至請求項５のいずれか１つに記載のチェーンの取付構造である。
【発明の効果】
【００１５】
本発明によれば、チェーンの取付構造を簡素化することが可能となるとともに、作業者の習熟度に関わらず作業速度を安定させることが可能となる。又、作業者が安全に作業を行うことが可能となる。
【図面の簡単な説明】
【００１６】
【図１】本発明のチェーンの取付構造を示す断面図である。
【図２】本発明のチェーンの取付構造を示す斜視図である。
【図３】栓体を示す分解断面図である。
【図４】取付部を示す（ａ）断面図（ｂ）平面図である。
【図５】チェーンの取り付け工程を示す断面図である。
【図６】取り付け完了状態からチェーンを引っ張った状態を示す断面図である。
【図７】第二実施形態に係るチェーンの取付構造を示す断面図である。
【発明を実施するための形態】
【００１７】
以下、図面を参照しながら本発明のチェーンの取付構造を説明する。尚、以下に記載する発明は実施形態の理解を容易にするためのものであり、これによって発明が制限して理解されるものではない。
【００１８】
図１及び図２に示すように、本発明は洗面台の槽体１００に取り付けられるチェーンの取付構造に関するものである。尚、槽体１００は上方が開放された箱状であり、底部に形成された排水口に栓体１が着脱されることによって槽体１００は内部に湯水を貯留、又は排出することが可能となる。又、槽体１００の縁部１０１には水栓（図示せず）及び固定部材５が配置されているとともに栓体１と固定部材５はチェーン４によって接続されている。
【００１９】
図３に示すように、栓体１は本体部２と取付部３から構成されるゴム栓である。
【００２０】
本体部２はゴム等の弾性素材から成り、下方に向けて縮径する円錐状且つ断面視略台形状であって、その中央には上下方向に向けて本体部２を貫通する円筒状の開口２１が形成されている。
開口２１は上端において内鍔部２２が形成されているとともに、下方より取付部３が挿入されている。尚、取付部３が挿入された状態において、取付部３の外面と開口２１の内面は水密に当接された状態となっており、取付部３と本体部２の間を湯水が通過することはない。又、挿入された取付部３は内鍔部２２によって抜け止めがなされている。
【００２１】
図４に示すように、取付部３は円筒状の筒状部３１を有するとともに、上端より下方に向けて、チェーン４の係合部４２が挿通可能な程度の幅を有する溝部３２が形成されている。尚、図４（ｂ）に示すように、当該溝部３２によって、平面視において筒状部３１は２つの半円柱である筒状部３１ａと筒状部３１ｂに分断されている。又、筒状部３１ａは溝部３２内において、弾性爪３３が形成されているとともに、筒状部３１ｂの側面には操作口３５が開口している。
弾性爪３３は筒状部３１ａから筒状部３１ｂに向かうように、斜め下方に向けて突設されているとともに、その端部は側面視において操作口３５から露出している。又、弾性爪３３は下面において抜け止め構造としてのガイド部３４が形成されている。ガイド部３４は弾性爪３３端部から根元側に向けて形成された傾斜面であり、取り付けられたチェーン４を取付部３から離間する方向に力を加えた際にチェーン４の係合部４２を弾性爪３３の根元側に案内する。
操作口３５は筒状部３１ｂの側面において、弾性爪３３と対向する位置において形成された開口であり、弾性爪３３が露出する位置に形成されている。
【００２２】
チェーン４は複数の玉状部４１が連結された玉鎖であり、その両端部には係合部４２を有している。
係合部４２は両端に開口が形成されているとともに、当該開口から軸方向にスリットが形成された薄板状の金属板であって、両端に形成された開口に玉状部４１を挿通した状態で、当該両端の開口を当接させるように折り曲げられることで取り付けられている。
【００２３】
固定部材５は槽体１００の縁部１０１に配置された筒状の部材から成るヒートンであって、取付部３と、取付部３下方に形成された雄螺子部を有している。
取付部３は上記栓体１の取付部３と同一の形状を成し、筒状部３１、溝部３２、弾性爪３３、操作口３５を有している。
【００２４】
上述の通り栓体１と固定部材５は同一形状の取付部３を有しており、当該取付部３を介してチェーン４が取り付けられる。従って、以下に記載するチェーン４の取り付けや取り外しに関する記載においては、栓体１と固定部材５を併せて説明する。
【００２５】
チェーン４を取り付ける際には、チェーン４の係合部４２を溝部３２に挿入し、係合部４２と弾性爪３３を係合させる。当該係合について詳述すると、図５（ｂ）に示すように、係合部４２が溝部３２に挿入されると、係合部４２の端部が弾性爪３３の上面と当接し、弾性爪３３を下方に向けて押し動かす。そして、弾性爪３３と筒状部３１ｂとの間に係合部４２が通過可能な程度の空間ができると、係合部４２は弾性爪３３を乗り越えて溝部３２下端に配置される。尚、係合部４２が溝部３２の下端に配置されると、弾性爪３３は自身の弾性力によって復元し、弾性爪３３と筒状部３１ｂとの間は係合部４２が通過不可能となることで、チェーン４の取り付けが完了する。
【００２６】
上記取り付け完了状態においてチェーン４を引っ張り、取付部３からチェーン４を離間する方向に力を加えると、係合部４２が弾性爪３３下面に形成されたガイド部３４に当接する。この時、ガイド部３４によって弾性爪３３には係合部４２との係合が解除される方向とは対向する方向に応力が加わるとともに、係合部４２は弾性爪３３の根元側に案内されるため、取付部３より係合部４２が外れてしまうことはない。
【００２７】
一方、取付部３とチェーン４を分離させる場合には、筒状部３１ｂの操作口３５より精密ドライバー等を用いて弾性爪３３を筒状部３１ａ側へと押圧し、弾性爪３３を根元側に押し戻すことで筒状部３１ｂと弾性爪３３との間に係合部４２が通過可能な空間を形成する。そして、当該空間を通じて係合部４２を上方へと引き抜くことによって、取付部３とチェーン４を分離させることが可能となる。
【００２８】
本発明のチェーンの取付構造においては、係合部４２を栓体１又は固定部材５の溝部３２に挿通するだけで取り付けを行うことが可能となる。従って、従来の取付構造のように、ペンチや治具等を使用してダブルリングを拡開させるといった煩雑な工程を必要とせず、生産性が向上するとともに、ダブルリングによる負傷を防ぐことができる。又、そもそもダブルリングが不要となることから、部材点数を削減することが可能となる。更に、栓体１又は固定部材５からチェーン４を離間する方向に力を加えたとしても、ガイド部３４によって栓体１又は固定部材５からチェーン４の係合部４２が分離してしまうことはない。一方、栓体１又は固定部材５とチェーン４を分離させる際には操作口３５を利用することによって簡単に分離作業を行うことが可能となる。
【００２９】
本発明は上記実施形態の形状に限られるものではなく、発明の要旨を逸脱しない範囲において種々の形状変更を行っても良いものである。例えば、図７に示す第二実施形態の様に、チェーン４の玉状部４１が係合部４２を兼ねても良い。この場合、チェーン４に別途係合部４２を備える必要がないため、更に部材点数を削減することができる。
【００３０】
又、上記実施形態において、チェーンの取付構造は洗面台に使用される栓体又は固定部材とチェーンの取り付けに関するものであったが、浴槽やキッチンシンク等に使用される栓体又は固定部材とチェーンの取り付けに関するものであっても良い。
又、上記実施形態において、栓体は弾性部材から成る本体部を有するゴム栓であったが、樹脂部材から成る本体部に止水パッキンが嵌着されたもの等であっても良い。同様に、上記実施形態において固定部材はヒートンであったが、栓体を保持するための部材であれば良く、又、固定部材が配置される箇所については何ら限定されるものではない。
【００３１】
又、取付部や係合部について、その材質を問うものではない。即ち、弾性爪が金属材から成るものやゴム等から成るものであっても良い。尚、材質について、弾性爪のみが別材質から成る等、複数の材質から成る構造であっても良い。
【符号の説明】
【００３２】
１                    栓体
２                    本体部
２１                  開口
２２                  内鍔部
３                    取付部
３１、３１ａ、３１ｂ  筒状部
３２                  溝部
３３                  弾性爪
３４                  ガイド部
３５                  操作口
４                    チェーン
４１                  玉状部
４２                  係合部
５                    固定部材
１００                槽体
１０１                縁部
【図１】
2020065618.tif 000003
【図２】
2020065618.tif 000004
【図３】
2020065618.tif 000005
【図４】
2020065618.tif 000006
【図５】
2020065618.tif 000007
【図６】
2020065618.tif 000008
【図７】
2020065618.tif 000009